(57)【特許請求の範囲】
【請求項１】
容器側の薬品排出口に締結される雌カプラーと前記雌カプラーに締結される雄カプラーとを備え、容器内に貯蔵された化学薬品などを外部に排出するのに使用される化学薬品引き出し用カプラーにおいて、
前記雄カプラーは、
中空を有する円筒体で、上／下側部に内ネジ部を有する締結孔がそれぞれ形成され、胴体の側部に、前記中空に連通する側孔が形成されたメーンハウジングと、
前記メーンハウジングの中空内に挿設され、下部が突出配置され、上部がメーンハウジング側の上側部締結孔に締結され、上端部の内周面に内ネジ部が形成された中空バー部材と、
前記メーンハウジング側の下側部締結孔に締結され、上端部の外周面に外ネジ部が形成され、下端部に外向係止フランジが突設された中空の円筒部材と、
前記円筒部材の外側に嵌め合わせられ、係止フランジにかかるように形成され、前記雌カプラーとの締結のための外ネジ部が下端部に形成された補助ハウジングと、
前記中空バー部材内の下部に、スプリングとこれに結合された開閉弁を備え、上／下に係止されるように配置された流体開閉部材と、
前記中空バー部材の上端部に締結され、容器内部の薬品をポンピングするためのポンピング手段との連結のための連結具と、
前記メーンハウジングの側孔に締結され、容器の内部にガスを注入するためのガス注入手段との連結のためのガス注入口と、
前記連結具およびガス注入口の未使用の時、これらの開口を密閉するための密閉キャップと、を含んでなることを特徴とする、化学薬品引き出し用カプラー。
【請求項２】
前記雌カプラーは、
容器側の薬品排出口に締結するための外ネジ部および前記雄カプラーとの締結のための内ネジ部が形成された締結部と、
前記締結部に連通して下方に伸び、容器側に雌カプラーを締結するとき、容器の貯蔵薬品内に浸漬される連結管と、を含んでなり、
前記締結部の中心には、前記連結管と連通する加圧突起が形成され、
前記締結部の底面にはガス流入孔が貫設されることを特徴とする、請求項１に記載の化学薬品引き出し用カプラー。
【請求項３】
前記雄カプラーの中空バー部材は、その外周面に長手方向の直線型断面部が形成されて、容器の内部へのガス注入の容易性を提供することを特徴とする、請求項１に記載の化学薬品引き出し用カプラー。
【請求項４】
前記雄カプラーは、前記補助ハウジングの外側面に配置され、誤締結防止突起が下面に形成された誤締結防止部材を備え、
前記雌カプラーの締結部は、前記雄カプラーと雌カプラー間の誤締結を防止するため、その上面周囲に誤締結防止孔が形成されることを特徴とする、請求項１または２に記載の化学薬品引き出し用カプラー。
【請求項５】
前記雌カプラーの誤締結防止孔は、多数がすべて開放される開放構造を有し、前記誤締結防止孔の内面にネジ部が形成され、誤締結防止孔に選択的に螺合されて締結される調節ボルトを備えて、必要によって、選択的に誤締結防止孔の一部を閉鎖するように構成されることを特徴とする、請求項４に記載の化学薬品引き出し用カプラー。
【請求項６】
前記雌カプラーの誤締結防止孔は、多数がすべて開放される開放構造を有し、前記誤締結防止孔に選択的に挿合される挿入部材を備えて、必要によって、選択的に誤締結防止孔の一部を閉鎖するように構成されることを特徴とする、請求項４に記載の化学薬品引き出し用カプラー。
【発明の詳細な説明】
【技術分野】
【０００１】
本発明は容器内に貯蔵された高純度の化学薬品などを外部に排出するのに使用される化学薬品引き出し用カプラーに係り、より詳しくは容器側に形成された一つの開口（薬品排出口）のみを使用して、容器内に貯蔵された化学薬品を外部に排出して使用できるようにするとともに、容器の内部には、容器内に貯蔵された化学薬品の容易な排出および純度維持と清浄度維持のためのガス注入作業を行うことができるようにして、誤締結防止により化学薬品の誤使用を予め遮断する化学薬品引き出し用カプラーに関するものである。
【背景技術】
【０００２】
一般に、半導体および医薬品関連純粋薬品、電子工業用薬品、試薬用薬品、食品用薬品および化粧用薬品などは容器に貯蔵され、必要の時に適量を容器の外部に排出して使っている。
【０００３】
この際、通常の薬品貯蔵容器は、容器の内部に貯蔵された薬品を外部に排出するための開口の薬品排出口と容器外部の大気圧力と容器内部の圧力を平衡にして、薬品の外部排出を容易にする開口の空気吸入口を形成しており、前記薬品排出口と空気吸入口を開閉するためのキャップをそれぞれ備えている。
【０００４】
したがって、薬品貯蔵容器内に収容された化学薬品を使おうとする場合、組み立てられたキャップを解除した後、薬品排出口および空気吸入口を開放させた状態で、薬品排出口を通じて内部の化学薬品を外部に排出して使うことになる。
【０００５】
ところで、前述した半導体および医薬品関連薬品などの化学薬品は、空気との接触遮断により汚染可能性を充分に排除することで、外部に排出される薬品および容器の内部に貯蔵されている薬品が共に高純度および清浄度を維持しなければならないが、既存には、容器内に貯蔵された化学薬品を外部に排出して使用するとき、このような適用が難しい問題点があった。
【０００６】
また、必要成分の該当化学薬品を適材適所に使用しなければならないが、作業者などの誤りにより、化学薬品の誤引き出しおよびそれによる誤適用が発生する問題点があった。
【発明の開示】
【発明が解決しようとする課題】
【０００７】
本発明は、前述したような問題点に鑑みてなされたもので、その目的は、容器内に貯蔵された化学薬品を排出するための排出通路と、容器内部に内／外部の大気圧力に対する平衡性を提供するためのガス注入通路とを一つの胴体に備えることで、容器側の一つの開口（薬品排出口）のみを通じて、容器内に貯蔵された化学薬品を外部に排出して使用できるようにするとともに、容器内部には、容器内に貯蔵された化学薬品の容易な排出および純度維持のためのガス注入作業を行うことができるようにすることで、容器内の薬品排出の際、空気との接触遮断により、容器内の化学薬品に対する純度および清浄度を維持するだけでなく、既存の容器側に形成された空気吸入口の形成を排除する化学薬品引き出し用カプラーを提供することにある。
【０００８】
また、本発明のほかの目的は、作業者などの誤りによる化学薬品の誤引き出しおよびそれによる誤適用を効果的に防止する化学薬品引き出し用カプラーを提供することにある。
【課題を解決するための手段】
【０００９】
前記のような目的を達成するため、本発明は、容器側の薬品排出口に締結される雌カプラーと前記雌カプラーに締結される雄カプラーとを備え、容器内に貯蔵された化学薬品などを外部に排出するのに使用される化学薬品引き出し用カプラーにおいて、前記雄カプラーは、中空を有する円筒体で、上／下側部に内ネジ部を有する締結孔がそれぞれ形成され、胴体の側部に、前記中空に連通する側孔が形成されたメーンハウジングと、前記メーンハウジングの中空内に挿設され、下部が突出配置され、上部がメーンハウジング側の上側部締結孔に締結され、上端部の内周面に内ネジ部が形成された中空バー部材と、前記メーンハウジング側の下側部締結孔に締結され、上端部の外周面に外ネジ部が形成され、下端部に外向係止フランジが突設された中空の円筒部材と、前記円筒部材の外側に嵌め合わせられ、係止フランジにかかるように形成され、前記雌カプラーとの締結のための外ネジ部が下端部に形成された補助ハウジングと、前記中空バー部材内の下部に、スプリングとこれに結合された開閉弁を備え、上／下に係止されるように配置された流体開閉部材と、前記中空バー部材の上端部に締結され、容器内部の薬品をポンピングするためのポンピング手段との連結のための連結具と、前記メーンハウジングの側孔に締結され、容器の内部にガスを注入するためのガス注入手段との連結のためのガス注入口と、前記連結具およびガス注入口の未使用の時、これらの開口を密閉するための密閉キャップと、を含んでなることを特徴とする。
【００１０】
前記雌カプラーは、容器側の薬品排出口に締結するための外ネジ部および前記雄カプラーとの締結のための内ネジ部が形成された締結部と、前記締結部に連通して下方に伸び、容器側に雌カプラーを締結するとき、容器の貯蔵薬品内に浸漬される連結管と、を含んでなり、前記締結部の中心には、前記連結管と連通する加圧突起が形成され、前記締結部の底面にはガス流入孔が貫設されることが望ましい。
【００１１】
前記雄カプラーの中空バー部材は、その外周面に長手方向の直線型断面部が形成されて、容器の内部へのガス注入の容易性を提供することが望ましい。
【００１２】
前記雄カプラーは、前記補助ハウジングの外側面に配置され、誤締結防止突起が下面に形成された誤締結防止部材を備え、前記雌カプラーの締結部は、前記雄カプラーと雌カプラー間の誤締結を防止するため、その上面周囲に誤締結防止孔が形成されることが望ましい。
【００１３】
前記雌カプラーの誤締結防止孔は、多数がすべて開放される開放構造を有し、前記誤締結防止孔の内面にネジ部が形成され、誤締結防止孔に選択的に螺合されて締結される調節ボルトを備えて、必要によって、選択的に誤締結防止孔の一部を閉鎖するように構成されることが望ましい。
【００１４】
前記雌カプラーの誤締結防止孔は、多数がすべて開放される開放構造を有し、前記誤締結防止孔に選択的に挿合される挿入部材を備えて、必要によって、選択的に誤締結防止孔の一部を閉鎖するように構成されることが望ましい。
【発明の効果】
【００１５】
以上説明したように、本発明による化学薬品引き出し用カプラーによれば、容器内に貯蔵された化学薬品を排出するための排出通路と、容器内部に内／外部の大気圧力に対する平衡性を提供するためのガス注入通路とを一つの胴体に備えることで、容器側の一つの開口（薬品排出口）のみを通じて、容器内に貯蔵された化学薬品を外部に排出して使うことができるようにするだけでなく、容器内部には、容器内に貯蔵された化学薬品の容易な排出および純度維持のためのガス注入作業を行うことができる。
【００１６】
これにより、容器内の薬品排出の際、薬品排出に対する容易性を提供するだけでなく、空気との接触の遮断により、容器内の化学薬品に対する純度および清浄度を維持することができ、既存の容器側に形成しなければならなかった空気吸入口の加工作業を無くすことができる有用性を提供する。
【００１７】
さらに、本発明は、雌カプラーと雄カプラーの誤締結を防止することができる構成により、作業者の誤りによる誤締結を予め防止することができるので、容器側に貯蔵された化学薬品の誤使用を予め遮断する有用性を提供し、該当化学薬品を適材適所に適用することができる。
【発明を実施するための最良の形態】
【００１８】
以下、本発明の好ましい実施例を添付図面に基づいて詳細に説明する。
【００１９】
図１は本発明によるカプラーを説明するために示す一部分解斜視図、図２は本発明によるカプラーを説明するために示す組立状態断面図、図３は本発明によるカプラーの雄カプラーを示す分解断面図、図４は本発明によるカプラーの雄カプラーを示す組立状態低面図、図５は本発明の誤締結防止のためのほかの実施例を示す例示図、図６は本発明の誤締結防止のためのさらにほかの実施例を示す例示図である。
【００２０】
図１〜図４に示すように、本発明による化学薬品引き出し用カプラーは、使用する容器側の空気吸入口の形成を排除することができるようにするもので、容器１側の薬品排出口に締結され、後述する雄カプラー２００との締結の際、雄カプラー２００側の流体流動経路を開放する雌カプラー１００と、前記雌カプラー１００に締結されるもので、容器内の薬品排出のためのポンピング手段およびガス注入手段（図示せず）との連結により、容器１側の薬品排出口の一開口のみを通じて、容器１の内部の薬品を外部に排出するとともに容器１の内部にはガスを注入することができるようにする雄カプラー２００とからなる。
【００２１】
前記雌カプラー１００は、容器１側の薬品排出口に締結するための外ネジ部１１１および前記雄カプラー２００との締結のための内ネジ部１１２が形成された締結部１１０と、前記締結部１１０に連通して下側方向に伸び、容器１側に雌カプラー１００を締結するとき、容器１の貯蔵薬品内に浸漬（ｄｉｐｐｉｎｇ）される連結管１２０とからなる。
【００２２】
この際、前記締結部１１０の中心には、前記連結管１２０と連通するように構成され、上方に突設された加圧突起１１３が備えられ、前記締結部１１０の底面には、前記雄カプラー２００を通じて注入されるガスの容器１内部への流入のためのガス注入孔１１４が貫設される。
【００２３】
また、前記締結部１１０の上面には、前記雄カプラー２００との締結の際、基準となる締結基準点１１５と、雌カプラー１００の容器１側の締結トルクを提供するための締結加圧溝１１６と、符号が表示された誤締結防止孔１１７とが備えられる。
【００２４】
ここで、前記締結加圧溝１１６には、別の締結ジグ（図示せず）を整合させて雌カプラーに締結トルクを提供することで、容器１側のさらに堅固な締結を可能にし、前記誤締結防止孔１１７は、表示された符号（キーコード符号）によって、つまり容器に収容された化学薬品の種類によって、孔１１７の一部を開放させないで閉鎖状態を維持するように形成するにより、誤締結を防止することができる。
【００２５】
また、前記雌カプラー１００は、図５および図６に示すように、前記誤締結防止孔１１７をすべて開放させた状態で構成し、必要によって選択的に誤締結防止孔１１７の一部を閉鎖して使うように構成することもできる。
【００２６】
図５は前記誤締結防止孔１１７の内面にネジ部１１７ａを形成され、誤締結防止孔１１７に選択的に螺合されて締結されるようにした調節ボルト１１８の実施例を示し、図６は前記誤締結防止孔１１７に選択的に挿合されるようにした挿入部材１１９の実施例を示している。
【００２７】
前記雄カプラー２００は、中空２１１を有する円筒体で、上／下側部に内ネジ部２１２ａ、２１３ａを有する締結孔２１２、２１３がそれぞれ形成され、胴体の側部に、前記中空２１１に連通する側孔２１４が形成されたメーンハウジング２１０と、前記メーンハウジング２１０の中空内に挿設され、下部が突出配置され、上部がメーンハウジング２１０側の上側部締結孔２１２に締結され、上端部の内周面に内ネジ部２２１が形成された中空バー部材２２０と、前記メーンハウジング２１０側の下側部締結孔２１３に締結されるように、上端部の外周面に外ネジ部２３１が形成され、下端部に外向係止フランジ２３２が突設された中空の円筒部材２３０と、前記円筒部材２３０の外側に嵌め合わせられ、係止フランジ２３２にかかるようになり、前記雌カプラー１００側の締結部１１０との締結のための外ネジ部２４１が下端部に形成された補助ハウジング２４０と、前記中空バー部材２２０内の下部にスプリング２５１とこれに結合された開閉弁２５２が備えられ、上／下に係止されるように配置される流体開閉部材２５０と、前記中空バー部材２２０の上端部に締結され、容器内部の薬品をポンピングするためのポンピング手段（図示せず）と連結される連結具２６０と、前記メーンハウジング２１０の側孔２１４に締結されてガス注入手段（図示せず）と連結するためのガス注入口２７０と、前記連結具２６０およびガス注入口２７０の未使用の時、これらの開口を密閉させる密閉キャップ２８０と、からなる。
【００２８】
この際、雄カプラー２００を雌カプラー１００に締結するとき、雌カプラー１００との誤締結を防止するため、前記補助ハウジング２４０の外側面に配置される誤締結防止部材２９０をさらに含む。
【００２９】
前記誤締結防止部材２９０の上面には、前記締結部１１０の締結基準点１１５に対応する基準点２９１が形成され、その下面には、前記誤締結防止孔１１７に対応する位置に誤締結防止突起２９２が形成される。
【００３０】
前記中空バー部材２２０は、その外周面に、長手方向に垂直断面を有する直線型断面部２２２が形成されることが望ましい。よって、前記直線型断面部２２２により、中空バー部材２２０と、前期中空部材と内側で嵌合するメーンハウジング２１０および補助ハウジング２４０との間に隙間を形成してガス注入通路を形成することにより、メーンハウジング２１０の側孔２１４を通じて注入されるガスが容器１側の内部に容易に注入されるように誘導する。
【００３１】
このように構成された本発明によるカプラーの作用を説明すれば次のようである。
【００３２】
まず、容器１の薬品排出口に雌カプラー１００の連結管１２０を挿入して、容器１の内部に貯蔵された化学薬品に浸漬し、締結部１１０により雌カプラー１００を容器１上に固定結合させる。この際、締結ジグ（図示せず）を利用して、締結部１１０の締結加圧溝１１６を介して締結トルクを提供することで、雌カプラー１００を容器１に一層堅く締結する。
【００３３】
雌カプラー１００上に雄カプラー２００を位置させた状態で、雄カプラー２００側の誤締結防止部材２９０を利用して、雌カプラーと雄カプラーが相互に整合する一対であるかを確認した後、補助ハウジング２４０を雌カプラー１００の締結部１１０内に螺合することにより、雌カプラー１００に雄カプラー２００を締結する。
【００３４】
この際、締結基準点１１５と基準点２９１により、誤締結防止孔１１７と誤締結防止突起２９２が相互に整合するか確認して、相互に整合しないとき、作業者は使用しようとする化学薬品を点検することができるようにすることにより、作業者の誤りによる化学薬品の誤使用を予め遮断する役目をする。
【００３５】
たとえば、最初の使用の際、相互に整合しないとき、化学薬品の点検後、誤締結防止突起２９２の一部を除去することで、誤締結防止孔１１７に整合させるか、あるいは誤締結防止孔１１７に対応する誤締結防止部材２９０を有する、使用したことがある雄カプラー２００を再び適用する。すなわち、容器１内の貯蔵薬品に相当する締結力を有することになる。
【００３６】
このような雌カプラー１００と雄カプラー２００間の締結時、雌カプラー１００側の加圧突起１１３が中空バー部材２２０の下側に配設された流体開閉部材２５０の開閉弁２５２を上方に押し上げて、薬品の外部排出のための流体流動経路を開放させることになる。
【００３７】
そして、密閉キャップ２８０を除去した状態で、連結具２６０にはポンピング手段（図示せず）を連結固定し、ガス注入口２７０にはガス注入手段（図示せず）を連結固定する。
【００３８】
ポンピング手段が稼動されると、容器１の内部に貯蔵された液体薬品は雌カプラー１００の連結管１２０を介して開放状態の中空バー部材２２０の中空内部に流入され、連結具２６０を通じて外部に排出される。これと同時に行われるガス注入手段を通じた窒素などの注入ガスはメーンハウジング２１０の側孔２１４を通じて中空バー部材２２０の外側面に沿って雌カプラー１００の締結部１１０に流入された後、締結部１１０の底面に形成されたガス流入口１１４を通過して容器１の内部に流入される。この際、中空バー部材２２０の外側面に直線型断面部２２１を形成してガスの流入経路を拡大させることにより、ガスの容易な流入を可能にする。
【００３９】
ここで、薬品の排出と同時に行われるガス注入は、容器１の内部圧力と外部の大気圧力を平衡にして維持する作用により、薬品の排出を容易にするとともに、容器１の内部に貯蔵された薬品をガスで処理するとともに空気との接触を遮断する役目をすることにより、容器内に貯蔵された薬品の純度および清浄度を維持することができる。
【００４０】
すなわち、本発明の化学薬品引き出し用カプラーは、容器１に一つの排出開口のみを形成するだけで、内部に貯蔵された薬品の純度および清浄度を維持しながら継続的な使用を可能にする有用性を提供し、空気との接触および異物の流入などを効果的に防止することができるだけでなく、容器の内部薬品を外部に排出すると同時に容器の内部にガスを注入することができる同時作業が可能である。
【００４１】
また、本発明のカプラーは、雌カプラー１００と雄カプラー２００間の誤締結防止手段を備えて、作業者の誤りによる誤締結を予め防止することにより、容器１に貯蔵された化学薬品の誤使用を予め遮断する有用性を発揮することになる。
【００４２】
さらに、本発明のカプラーは、化学薬品などの排出用だけでなく、一般的な液体の外部排出と同時に液体の添加物を注入する用途にも使うことができることは自明であろう。
【００４３】
一方、本発明の化学薬品引き出し用カプラーは、図５に示すように、化学薬品を引き出すために使用するときは、雌カプラー１００と雄カプラー２００を結合して使用し、未使用の時は、雌カプラー１００にキャップ３００を結合して使用する。
【００４４】
一方、本発明による化学薬品引き出し用カプラーは、前述したような具体的な実施例を添付図面に基づいて説明したが、この実施例に特に限定されるものではなく、当該技術分野の当業者による多様な変形実施例も、本発明の請求範囲の解釈による技術的思想により、本発明の範疇に属するものであると言える。
【産業上の利用可能性】
【００４５】
本発明は、容器側に形成された一つの開口（薬品排出口）のみを使用して、容器内に貯蔵された化学薬品を外部に排出して使用できるようにするとともに、容器の内部には、容器内に貯蔵された化学薬品の容易な排出および純度維持と清浄度維持のためのガス注入作業を行うことができるようにして、誤締結防止により化学薬品の誤使用を予め遮断する化学薬品引き出し用カプラーに適用可能である。
【図面の簡単な説明】
【００４６】
【図１】本発明によるカプラーを説明するために示す一部分解斜視図である。
【図２】本発明によるカプラーを説明するために示す組立状態断面図である。
【図３】本発明によるカプラーの雄カプラーを示す分解断面図である。
【図４】本発明によるカプラーの雄カプラーを示す組立状態低面図である。
【図５】本発明において誤締結防止のためのほかの実施例を示す例示図である。
【図６】本発明において誤締結防止のためのさらにほかの実施例を示す例示図である。
【符号の説明】
【００４７】
１００    雌カプラー
１１０    締結部
１１３    加圧突起
１１４    ガス注入孔
１１７    誤締結防止孔
２００    雄カプラー
２１０    メーンハウジング
２１１    中空
２１４    側孔
２２０    中空バー部材
２２１    直線型断面部
２３０    円筒部材
２４０    補助ハウジング
２５０    流体開閉部材
２５１    スプリング
２５２    開閉弁
２６０    連結具
２７０    ガス注入口
２９０    誤締結防止部材
２９２    誤締結防止突起
【図１】
0004500823.tif 000002
【図２】
0004500823.tif 000003
【図３】
0004500823.tif 000004
【図４】
0004500823.tif 000005
【図５】
0004500823.tif 000006
【図６】
0004500823.tif 000007